(57)【要約】【課題】マスクレス露光装置において、正確にパターン形成位置を検出する。【解決手段】ＤＭＤによってパターンを形成し、露光位置をフォトセンサで検出するマスクレス露光装置において、バー状パターンＦ１、Ｆ２からなる位置検出パターンＬ１、Ｌ２、・・、ＬＭを並列させた位置検出パターン列ＬＰを走査中に投影し、パターン幅ｗ、バー状パターンピッチｇを調整することにより、隣接するフォトセンサの光量Ｃ１、Ｃ２の一致点を同時に検出する。【選択図】図１４
2015065228.tif 000002
【特許請求の範囲】
【請求項１】
複数の光変調素子をマトリクス状に配列した光変調素子アレイと、
前記光変調素子アレイによる露光エリアを、被描画体に対し相対移動させる走査部と、
前記露光エリアが通過するように並列した複数のフォトセンサを有する位置検出部と、
前記複数の光変調素子を制御することにより、パターン光を前記被描画体に投影する露光動作制御部とを備え、
前記露光動作制御部が、パターン対を所定間隔で走査方向に並べた位置検出パターン列の光を、前記被描画体に投影し、
前記位置検出部が、１つのパターン対が隣り合うフォトセンサを通過する間にその隣り合うフォトセンサから出力される輝度信号のレベルが等しくなる露光位置を検出し、位置検出パターン列の光の通過に伴って一連の露光位置を時系列的に検出し、
パターン対が、フォトセンサ隙間間隔よりも小さい幅のバー状パターンを、フォトセンサ幅よりも小さく、かつフォトセンサ隙間間隔よりも大きいパターンピッチで対向配置させたパターン対であることを特徴とする露光装置。
【請求項２】
隣り合うフォトセンサから出力される輝度信号が一致するときの輝度レベルが、フォトセンサ出力安定範囲に収まるように、パターン対の間隔が定められることを特徴とする請求項１に記載の露光装置。
【請求項３】
複数の光変調素子をマトリクス状に配列した光変調素子アレイによる露光エリアを、被描画体に対し相対移動させ、
前記露光エリアが通過するように並列した複数のフォトセンサを配置し、
前記複数の光変調素子を制御することにより、パターン光を前記被描画体に投影する露光方法であって、
パターン対を所定間隔で走査方向に並べた位置検出パターン列の光を、前記被描画体に投影し、
１つのパターン対が隣り合うフォトセンサを通過する間にその隣り合うフォトセンサから出力される輝度信号のレベルが等しくなる露光位置を検出し、位置検出パターン列の光の通過に伴って一連の露光位置を時系列的に検出し、
パターン対が、フォトセンサ隙間間隔よりも小さい幅のバー状パターンを、フォトセンサ幅よりも小さく、かつフォトセンサ隙間間隔よりも大きいパターンピッチで対向配置させたパターン対であることを特徴とする露光方法。
【請求項４】
複数の光変調素子をマトリクス状に配列した光変調素子アレイと、
前記光変調素子アレイによる露光エリアを、被描画体に対し相対移動させる走査部と、
前記露光エリアが通過するように並列した複数のフォトセンサを有する位置検出部と、
前記複数の光変調素子を制御することにより、パターン光を前記被描画体に投影する露光動作制御部とを備え、
前記露光動作制御部が、フォトセンサ隙間間隔よりも小さい幅のバー状パターンを、フォトセンサ幅よりも小さく、かつフォトセンサ隙間間隔よりも大きいパターンピッチで対向配置させた単一の位置検出パターンの光を、前記被描画体に投影し、
前記位置検出部が、１つのパターン対が隣り合うフォトセンサを通過する間にその隣り合うフォトセンサから出力される輝度信号のレベルが等しくなる露光位置を検出し、位置検出パターンの光の通過に伴って一連の露光位置を時系列的に検出することを特徴とする露光装置。
【請求項５】
複数の光変調素子をマトリクス状に配列した光変調素子アレイによる露光エリアを、被描画体に対し相対移動させ、
前記露光エリアが通過するように並列した複数のフォトセンサを配置し、
前記複数の光変調素子を制御することにより、パターン光を前記被描画体に投影する露光方法であって、
フォトセンサ隙間間隔よりも小さい幅のバー状パターンを、フォトセンサ幅よりも小さく、かつフォトセンサ隙間間隔よりも大きいパターンピッチで対向配置させた単一の位置検出パターンの光を、前記被描画体に投影し、
１つのパターン対が隣り合うフォトセンサを通過する間にその隣り合うフォトセンサから出力される輝度信号のレベルが等しくなる露光位置を検出し、位置検出パターンの光の通過に伴って一連の露光位置を時系列的に検出することを特徴とする露光方法。
【請求項６】
複数の光変調素子をマトリクス状に配列した光変調素子アレイと、
前記光変調素子アレイによる露光エリアを被描画体に対し主走査方向に沿って相対移動させる走査部と、
主走査方向に対し傾斜配列させた第１フォトセンサ群と、前記第１フォトセンサ群とは主走査方向に関して逆回転方向に傾斜配列させた第２フォトセンサ群とを有する位置検出部と、
前記複数の光変調素子を制御することにより、前記第１、第２フォトセンサ群の配列垂直方向に沿ってそれぞれ傾斜する第１、第２位置検出パターン列の光を、前記第１、第２フォトセンサ群に対してそれぞれ投影する露光動作制御部とを備え、
前記位置検出部が、走査中、前記第１および第２フォトセンサ群において、隣り合うフォトセンサから出力される輝度信号のレベルが等しくなる露光位置を、第１の一連の露光位置および第２の一連の露光位置として時系列に検出し、
前記第１、第２位置検出パターン列が、それぞれパターン対の列であり、
パターン対が、配列方向に沿ったフォトセンサ隙間間隔よりも小さい幅のバー状パターンを、フォトセンサ幅よりも小さく、かつフォトセンサ隙間間隔よりも大きいパターンピッチで対向配置させたパターン対であることを特徴とする露光装置。
【請求項７】
複数の光変調素子をマトリクス状に配列した光変調素子アレイによる露光エリアを被描画体に対し主走査方向に沿って相対移動させ、
主走査方向に対し傾斜配列させた第１フォトセンサ群と、前記第１フォトセンサ群とは主走査方向に関して逆回転方向に傾斜配列させた第２フォトセンサ群とを配置し、
前記第１、第２フォトセンサ群の配列垂直方向に沿ってそれぞれ傾斜する第１、第２位置検出パターン列の光を、前記第１、第２フォトセンサ群に対してそれぞれ投影し、
前記第１および第２フォトセンサ群において、隣り合うフォトセンサから出力される輝度信号のレベルが等しくなる露光位置を、第１の一連の露光位置および第２の一連の露光位置として時系列に検出し、
前記第１、第２位置検出パターン列が、それぞれパターン対の列であり、
パターン対が、配列方向に沿ったフォトセンサ隙間間隔よりも小さい幅のバー状パターンを、フォトセンサ幅よりも小さく、かつフォトセンサ隙間間隔よりも大きいパターンピッチで対向配置させたパターン対であることを特徴とする露光方法。
【発明の詳細な説明】
【技術分野】
【０００１】
本発明は、光変調素子アレイを用いてパターンを形成するマスクレス露光装置に関し、特に、基板等に投影されるパターンの位置検出に関する。
【背景技術】
【０００２】
マスクレス露光装置では、基板が搭載されるステージを走査方向に沿って移動させながら、ＤＭＤ（Digital Micro-mirror Device）などの光変調素子アレイによってパターン光を基板に投影する。そこでは、ステージに載せられた基板上における投影エリア（露光エリア）の位置を検出し、その位置に応じたパターン光を投影するように、２次元状に配列されたマイクロミラーなど光変調素子を制御する。
【０００３】
マイクロメータのオーダーで微細パターンを形成する場合、基板の位置を正確に検出し、パターン光を位置ずれなく投影する必要がある。しかしながら、ＤＭＤの温度変化などに起因して、パターン光の投影位置にずれが生じ、パターン形成位置に誤差が生じることがある。
【０００４】
これを防ぐため、フォトダイオードなどの光センサをステージ脇に複数配置し、ステージを走査しながら位置検出用のパターンを光センサに投影する。検出される露光位置と、あらかじめ用意された基準となる位置情報とを比較することで、露光位置を補正する（例えば、特許文献１参照）。
【０００５】
一方、ステージなどの可動体の位置を精度よく検出するため、２つの光センサの光量変化から基準位置を検出する方法が知られている（特許文献２参照）。そこでは、エンコーダの原点位置、すなわち基準位置を検出するため、走査方向に沿って対称的に位置をずらした１対のフォトダイオードが配置される。
【０００６】
スリットの形成されたスケールを移動させることによって、位置検出用のスリット光がフォトダイオード対の上を通過する。このとき検出される光量変化において、２つのフォトセンサの光量が互いに等しくなる位置を、基準位置として検出する。
【先行技術文献】
【特許文献】
【０００７】
【特許文献１】特開２００８−１３４３７０号公報
【特許文献２】特開平１０−０９０００８号公報
【発明の概要】
【発明が解決しようとする課題】
【０００８】
フォトダイオードのサイズは、パターン分解能に比べて大きく、また、フォトダイオードの感光特性にはそれぞれ個体差がある。したがって、同じ光強度で計測用パターン光を投影しても、検出される光量は微妙に相違する。また、照度ムラなどによって投影する光が瞬間的に不安定になることもあり、高精度に露光位置を検出することが難しい。さらに、位置検出の精度を向上させるため、パターン光のサイズをパターン分解能付近まで近づけると、フォトダイオードから出力される信号に対し、ノイズが生じやすくなる。
【０００９】
したがって、マスクレス露光装置において、フォトダイオードなどのフォトセンサを用いて正確な位置を検出することが求められる。
【課題を解決するための手段】
【００１０】
本発明の露光装置は、複数の光変調素子をマトリクス状に配列した光変調素子アレイと、光変調素子アレイによる露光エリアを、被描画体に対し相対移動させる走査部と、露光エリアが通過するように並列した複数のフォトセンサを有する位置検出部と、複数の光変調素子を制御することにより、パターン光を被描画体に投影する露光動作制御部とを備える。
【００１１】
複数のフォトセンサは、被描画体を保持するステージ（テーブル）の上面あるいは側面、内部などに設けることが可能であり、また、ステージと一体的に設けることも可能であり、取り外し可能に装着することもできる。
【００１２】
本発明では、露光動作制御部が、パターン対を所定間隔で走査方向に並べた位置検出パターン列の光を、被描画体に投影し、位置検出部が、１つのパターン対が隣り合うフォトセンサを通過する間にその隣り合うフォトセンサから出力される輝度信号のレベルが等しくなる露光位置を検出し、位置検出パターン列の光の通過に伴って一連の露光位置を時系列的に検出する。ただし、ここでの露光位置は、所定の位置検出パターンのステージ上での相対位置を表し、例えば、ステージに規定された走査方向に沿う位置座標で表される。
【００１３】
そして、本発明のパターン対は、フォトセンサ隙間間隔（隙間の距離／長さ）よりも小さい幅のバー状パターンを、フォトセンサ幅よりも小さく、かつフォトセンサ隙間間隔よりも大きいパターンピッチで対向配置させたパターン対によって構成される。したがって、走査中、パターン対の輝度信号レベルがそれぞれ上昇する範囲と減少する範囲において交差するレベル一致点が生じる。
【００１４】
このようにフォトセンサの配置間隔に制限があっても、細いバー状パターン対を投影することにより、ノイズを抑え、精度のある露光位置を検出することが可能となる。また、複数の露光位置を検出することにより、照度ムラ、フォトセンサの個体差などに影響されない位置補正を行うことが可能である。例えば、露光装置に、検出される一連の露光位置と、あらかじめ定められた標準露光位置とに基づいて、露光基準位置を補正する補正部を備えればよい。ここで、標準露光位置は、例えば描画データ上で定められた位置座標によって表すことが可能である。また、露光基準位置としては、例えば、描画開始位置などが定められる。
【００１５】
フォトセンサの配置間隔、パターン列のパターン間隔などは、任意に設定可能である。例えば、複数のフォトセンサを、走査方向に沿って一定間隔に配置し、位置検出パターン列を、一定間隔で並んだ複数の位置検出パターンで構成することが可能である。
【００１６】
検出される露光位置の数は、フォトセンサの数、パターン列のパターン個数に従う。例えば、２つ以上のフォトセンサを設置し、位置検出パターン列を、２つ以上の位置検出パターンによって構成することが可能である。この場合、各位置検出パターンが複数の隣接センサ間で検出されるとともに、同じ隣接センサ間で、パターン列通過により複数の露光位置が検出される。
【００１７】
位置補正については、検出されるそれぞれの露光位置と目標となる標準露光位置との差を求め、加算／加重平均値などの代表的な補正値を算出することが可能である。あるいは、検出される一連の露光位置から代表的な露光位置を算出することも可能である。
【００１８】
位置検出部は様々な構成を採用することが可能であり、複数のフォトセンサからの輝度信号を露光装置の制御部で検出してもよく、あるいは、その前段階で位置検出部、位置算出部を設けてもよい。輝度信号レベルが一致するタイミングを正確に検出するため、例えば位置検出部は、輝度信号の等しくなるタイミングでパルス信号を発生するパルス信号生成部と、検出されたパルス信号に応じて露光位置を算出する位置算出部を備える。
【００１９】
パルス信号生成部、位置検出部の配置構成は様々な構成が可能である。例えば、複数の露光ヘッドを設け、各露光ヘッドに対し位置補正を行う場合、パルス信号生成部をステージに設けることが可能である。
【００２０】
一連の露光位置をパルス信号によって検出する場合、パルス信号が同時に発生することを防ぐのが好ましい。したがって、検出露光動作制御部は、検出される一連のパルス信号を互いに異なるタイミングで発生させるように、位置検出パターン列の光を投影させてもよい。例えば、露光動作制御部が、ほぼ一定の時間間隔で一連のパルス信号が発生するように、所定のパターンピッチで位置検出パターン列の光を投影することができる。
【００２１】
パターン対の間隔は、上記条件を満たす範囲で任意である。例えば、一方のフォトセンサにおける輝度レベル上昇と他方のフォトセンサにおける輝度レベル下降が時系列的に重なる期間を生じさせることを考慮すると、以下の条件式を満たすように、パターン対のピッチｇおよびバー状パターン幅ｗを定めることができる。
ｇ−ｗ＜Ｂ＜ｇ＋ｗ    
【００２２】
フォトセンサ出力安定範囲を考慮すると、隣り合うフォトセンサから出力される輝度信号が一致するときの輝度レベルが、フォトセンサ出力安定範囲に収まるように、パターン対の間隔を定めることができる。
【００２３】
本発明の他の態様における露光方法は、複数の光変調素子をマトリクス状に配列した光変調素子アレイによる露光エリアを、被描画体に対し相対移動させ、露光エリアが通過するように並列した複数のフォトセンサを配置し、複数の光変調素子を制御することにより、パターン光を被描画体に投影する露光方法であって、パターン対を所定間隔で走査方向に並べた位置検出パターン列の光を、被描画体に投影し、１つのパターン対が隣り合うフォトセンサを通過する間にその隣り合うフォトセンサから出力される輝度信号のレベルが等しくなる露光位置を検出し、位置検出パターン列の光の通過に伴って一連の露光位置を時系列的に検出し、パターン対が、フォトセンサ隙間間隔よりも小さい幅のバー状パターンを、フォトセンサ幅よりも小さく、かつフォトセンサ隙間間隔よりも大きいパターンピッチで対向配置させたパターン対であることを特徴とする。
【００２４】
本発明の他の態様における露光装置は、複数の光変調素子をマトリクス状に配列した光変調素子アレイと、光変調素子アレイによる露光エリアを、被描画体に対し相対移動させる走査部と、露光エリアが通過するように並列した複数のフォトセンサを有する位置検出部と、複数の光変調素子を制御することにより、パターン光を被描画体に投影する露光動作制御部とを備え、露光動作制御部が、フォトセンサ隙間間隔よりも小さい幅のバー状パターンを、フォトセンサ幅よりも小さく、かつフォトセンサ隙間間隔よりも大きいパターンピッチで対向配置させた単一の位置検出パターンの光を、被描画体に投影し、位置検出部が、１つのパターン対が隣り合うフォトセンサを通過する間にその隣り合うフォトセンサから出力される輝度信号のレベルが等しくなる露光位置を検出し、位置検出パターンの光の通過に伴って一連の露光位置を時系列的に検出することを特徴とする。
【００２５】
本発明の他の態様における露光装置は、複数の光変調素子をマトリクス状に配列した光変調素子アレイによる露光エリアを、被描画体に対し相対移動させ、露光エリアが通過するように並列した複数のフォトセンサを配置し、複数の光変調素子を制御することにより、パターン光を被描画体に投影する露光方法であって、フォトセンサ隙間間隔よりも小さい幅のバー状パターンを、フォトセンサ幅よりも小さく、かつフォトセンサ隙間間隔よりも大きいパターンピッチで対向配置させた単一の位置検出パターンの光を、被描画体に投影し、１つのパターン対が隣り合うフォトセンサを通過する間にその隣り合うフォトセンサから出力される輝度信号のレベルが等しくなる露光位置を検出し、位置検出パターンの光の通過に伴って一連の露光位置を時系列的に検出することを特徴とする。
【００２６】
本発明の他の態様における露光装置は、複数の光変調素子をマトリクス状に配列した光変調素子アレイと、光変調素子アレイによる露光エリアを被描画体に対し主走査方向に沿って相対移動させる走査部と、主走査方向に対し傾斜配列させた第１フォトセンサ群と、第１フォトセンサ群とは主走査方向に関して逆回転方向に傾斜配列させた第２フォトセンサ群とを有する位置検出部と、複数の光変調素子を制御することにより、第１、第２フォトセンサ群の配列垂直方向に沿ってそれぞれ傾斜する第１、第２位置検出パターン列の光を、第１、第２フォトセンサ群に対してそれぞれ投影する露光動作制御部とを備える。ここで、逆回転方向とは、移動方向もしくは走査方向に沿ったラインを基準としたとき、第１フォトセンサ群を一方の回転方向へ傾斜させたとき、その反対方向を表す。
【００２７】
位置検出部は、走査中、第１および第２フォトセンサ群において、隣り合うフォトセンサから出力される輝度信号のレベルが等しくなる露光位置を、第１の一連の露光位置および第２の一連の露光位置として時系列に検出する。これによって、位置検出部は、検出された第１および第２の一連の露光位置から、２次元露光位置を算出することが可能である。ここで、２次元露光位置は、例えば、主走査方向、副走査方向に沿って規定される２次元座標に基づいて規定することができる。
【００２８】
本発明の第１、第２位置検出パターン列が、それぞれパターン対の列であり、パターン対が、配列方向に沿ったフォトセンサ隙間間隔よりも小さい幅のバー状パターンを、フォトセンサ幅よりも小さく、かつフォトセンサ隙間間隔よりも大きいパターンピッチで対向配置させたパターン対として構成される。
【００２９】
本発明では、２次元的に露光位置を検出するため、描画開始位置のみならず、副走査方向に沿った露光位置についても露光データ補正し、描画領域が一部重複するようなことがなく、精度あるパターンを形成することができる。２次元露光位置の算出については、第１および第２の一連の露光位置について、あらかじめセンサ配列方向に沿った露光位置としてベクトル表現によって検出し、それぞれのフォトセンサ群において代表的な露光位置（平均値）などを演算した後、主走査方向、副走査方向に沿った２次元露光位置座標を求めることができる。
【００３０】
フォトセンサの傾斜配置については、任意に設定可能である。例えば、第１フォトセンサ群の移動方向あるいは主走査方向に対する傾斜配置角度αが、３０°≦α≦６０°の範囲であり、第２フォトセンサ群の傾斜配置角度βが、−６０°≦β≦−３０°の範囲に収められる。特に、第１、第２フォトセンサ群を＋４５°、−４５°にそれぞれ傾斜配置し、移動方向もしくは主走査方向に関して対称的に配置することが可能である。ただし、移動方向は、基板など被描画体の移動方向（主走査方向とは逆方向）を表す。また、複数のフォトセンサを、走査方向に沿って一定間隔に配置し、位置検出パターン列を、一定間隔で並んだ位置検出パターンで構成することが可能である。第１、第２フォトセンサ群の配置については、１つの走査バンド領域内において、副走査方向に沿って並べ、あるいは主走査方向に沿って並べることが可能である。第１、第２フォトセンサ群を副走査方向に沿って配置する場合、露光動作制御部は、第１、第２位置検出パターン列の光を副走査方向に沿って同時に投影すればよい。これにより、パターンの切り替えなく、近接する領域で露光位置を検出することができる。一方、主走査方向に沿って第１、第２フォトセンサ群を配置する場合、露光動作制御部は、露光エリアが第１フォトセンサ群を通過するとき、第１位置検出パターン列の光を投影し、露光エリアが第２フォトセンサ群を通過するとき、第２位置検出パターン列の光を投影する。これによって、同じ主走査ライン上で一連の第１、第２の露光位置を検出することができる。
【００３１】
本発明の他の態様における露光方法は、複数の光変調素子をマトリクス状に配列した光変調素子アレイによる露光エリアを被描画体に対し主走査方向に沿って相対移動させ、主走査方向に対し傾斜配列させた第１フォトセンサ群と、第１フォトセンサ群とは主走査方向に関して逆回転方向に傾斜配列させた第２フォトセンサ群とを配置し、第１、第２フォトセンサ群の配列垂直方向に沿ってそれぞれ傾斜する第１、第２位置検出パターン列の光を、第１、第２フォトセンサ群に対してそれぞれ投影し、第１および第２フォトセンサ群において、隣り合うフォトセンサから出力される輝度信号のレベルが等しくなる露光位置を、第１の一連の露光位置および第２の一連の露光位置として時系列に検出し、第１、第２位置検出パターン列が、それぞれパターン対の列であり、パターン対が、配列方向に沿ったフォトセンサ隙間間隔よりも小さい幅のバー状パターンを、フォトセンサ幅よりも小さく、かつフォトセンサ隙間間隔よりも大きいパターンピッチで対向配置させたパターン対であることを特徴とする。
【発明の効果】
【００３２】
本発明によれば、マスクレス露光装置において、正確にパターン形成位置を検出することができる。
【図面の簡単な説明】
【００３３】
【図１】第１の実施形態である露光装置の概略的斜視図である。
【図２】露光装置の概略的ブロック図である。
【図３】フォトセンサ群と位置検出パターン列を示した図である。
【図４】フォトセンサとパターンの幅を示した図である。
【図５】フォトセンサに入射する光の光量変化を示した図である。
【図６】隣接するフォトセンサの光量変化を示した図である。
【図７】パルス信号の出力タイミングを時系列的に示した図である。
【図８】第２の実施形態におけるフォトセンサ群と位置検出パターンを示した図である。
【図９】第１フォトセンサ群における位置検出パターンとフォトセンサとの位置関係を示した図である。
【図１０】第２フォトセンサ群における位置検出パターンとフォトセンサとの位置関係を示した図である。
【図１１】第３の実施形態におけるフォトセンサ群と位置検出パターン列を示した図である。
【図１２】第４の実施形態におけるフォトセンサ群と位置検出パターン列を示した図である。
【図１３】第４の実施形態におけるフォトセンサとパターンの幅を示した図である。
【図１４】第４の実施形態における位置検出パターンとフォトセンサを示した図である。
【図１５】第４の実施形態における隣り合うフォトセンサの光量変化を示した図である。
【図１６】第５の実施形態におけるフォトセンサ群と位置検出パターンを示した図である。
【図１７】第６の実施形態におけるフォトセンサ群と位置検出パターン列を示した図である。
【発明を実施するための形態】
【００３４】
以下では、図面を参照して本発明の実施形態について説明する。
【００３５】
図１は、第１の実施形態である露光装置の概略的斜視図である。図２は、露光装置の概略的ブロック図である。
【００３６】
露光装置（描画装置）１０は、フォトレジストなどの感光材料を塗布、あるいは貼り付けた基板Ｗへ光を照射することによってパターンを形成するマスクレス露光装置であり、描画部１３が基台１４に搭載されている。
【００３７】
基台１４には、基板Ｗを搭載するステージ１２が走査方向に沿って移動可能に設置されている。ステージ駆動機構１５は、主走査方向Ｘ、副走査方向Ｙに沿ってステージ１２を移動させることができる。
【００３８】
露光装置１０は、パターン光を投影する複数の露光ヘッドを備えており、ここでは１つの露光ヘッド１８のみ図示している。露光ヘッド１８は、ＤＭＤ２２、照明光学系、結像光学系（いずれも図示せず）を備えており、他の露光ヘッドも同様に構成されている。光源２０は、例えば放電ランプ（図示せず）によって構成され、光源駆動部２１によって駆動される。
【００３９】
ベクタデータなどで構成されるＣＡＤ／ＣＡＭデータが露光装置１０へ入力されると、ベクタデータがラスタ変換回路２６に送られ、ベクタデータがラスタデータに変換される。生成されたラスタデータは、バッファメモリ（図示せず）に一時的に格納された後、ＤＭＤ駆動回路２４へ送られる。
【００４０】
ＤＭＤ２２は、微小マイクロミラーを２次元配列させた光変調素子アレイ（光変調器）であり、各マイクロミラーは、姿勢を変化させることによって光の反射方向を選択的に切り替える。ＤＭＤ駆動回路２４によって各ミラーが姿勢制御されることにより、パターンに応じた光が、結像光学系を通じて基板Ｗの表面に投影される。
【００４１】
ステージ駆動機構１５は、コントローラ３０からの制御信号に従い、ステージ１２を移動させる。位置検出部２８は、ステージ１２の端部付近に設置されており、複数のフォトセンサから構成されるフォトセンサ群ＰＤ、およびパルス信号発生部２９を備えている。位置計算部２７は、位置検出部２８から送られてくる信号に基づき、露光位置、すなわち基板Ｗの位置を算出する。
【００４２】
露光動作中、ステージ（描画テーブル）１２は、走査方向Ｘに沿って一定速度で移動する。ＤＭＤ２２全体による投影エリア（以下、露光エリアという）は、基板Ｗの移動に伴って基板Ｗ上を相対的に移動する。露光動作は所定の露光ピッチに従って行なわれ、露光ピッチに合わせてマイクロミラーがパターン光を投影するように制御される。
【００４３】
ＤＭＤ２２の各マイクロミラーの制御タイミングを露光エリアの相対位置に従って調整することにより、露光エリアの位置に描くべきパターンの光が順次投影される。そして、露光ヘッド１８を含めた複数の露光ヘッドにより基板Ｗ全体を描画することによって、基
板Ｗ全体にパターンが形成される。
【００４４】
なお、露光方式としては、一定速度で移動する連続移動方式だけでなく、間欠的に移動するステップ＆リピートも可能である。また、露光ショット時の投影エリアを部分的に重ねる多重露光（オーバラップ露光）も可能である。
【００４５】
露光動作を始める前段階においては、パターンを正確な位置に形成するため、露光開始位置に関する補正処理が行われる。ステージ１２を一定速度で移動させながら、位置検出用のパターンの光を投影する。コントローラ３０は、位置計算部２７から送られてくる位置情報に基づき、露光開始位置を補正する。
【００４６】
以下、図３〜７を用いて、露光位置の検出および補正について説明する。
【００４７】
図３は、フォトセンサ群と位置検出パターン列を示した図である。図４は、フォトセンサとパターンの幅を示した図である。図５は、フォトセンサに入射する光の光量変化を示した図である。
【００４８】
フォトセンサ群ＰＤは、Ｎ個のフォトセンサＰ１、Ｐ２、・・・、ＰＮから構成されており、配列ピッチＴの等間隔で走査方向に配列されている。一方、位置検出パターン列ＬＰは、走査方向に関して垂直な一連のバー状パターンＬ１、Ｌ２、Ｌ３、・・・ＬＭから構成される。Ｍ個のパターンＬ１、Ｌ２、Ｌ３、・・・ＬＭは、パターンピッチＪで等間隔に並ぶ。
【００４９】
パターンＬ１、Ｌ２、Ｌ３、・・ＬＭそれぞれのパターン幅Ｋは、フォトセンサ幅Ｚよりも短い。そのため、１つの先頭位置にあるパターンＬ１がフォトセンサＰ１、Ｐ２と通過するとき、フォトセンサＰ１とフォトセンサＰ２から出力される輝度信号のレベル、すなわちフォトセンサの受光量は、図５に示すように増加、一定、減少を順次辿る。
【００５０】
詳述すると、１つのパターンＬ１の移動によってパターンＬ１の一部がフォトセンサＰ１上に移動するのに伴い、フォトセンサＰ１の光量は増加していく。パターンＬ１全体がフォトセンサＰ１上に位置する間、フォトセンサＰ１の検出する光量は最大光量で一定となる。そして、パターンＬ１の移動先端側がフォトセンサＰ１を超え、フォトセンサＰ１、Ｐ２の間へ移動するのに伴い、フォトセンサＰ１の光量は低下していく。
【００５１】
走査方向に関してフォトセンサＰ１の隣に位置するフォトセンサＰ２においても、同じように光量は増加、一定、減少を辿る。この光量変化は、フォトセンサＰ１に対し、パターンピッチＴに応じた期間だけ遅れて生じる。一方、パターンＬ１の幅Ｋは、隣り合うフォトセンサ間隔Ｂよりも大きい。そのため、パターンＬ１がフォトセンサＰ１、Ｐ２の間を通過する間、フォトセンサＰ１の光量減少、フォトセンサＰ２の光量増加が重なる期間Ｑが生じる（図５参照）。
【００５２】
そして、この期間ＱにおいてフォトセンサＰ１、Ｐ２の光量が一致する位置、地点を、露光位置として検出する。具体的には、パルス信号発生部２９において、光量一致のタイミングでパルス信号が発生し、パターンＬ１の位置、すなわち基板Ｗの位置が検出される。これによって、フォトセンササイズ幅Ｚ以下であるオーダーを要求される露光位置を検知することができる。
【００５３】
パターンＬ１が通過するときに光量一致点を検出した後、続いて順次通過するパターンＬ２、Ｌ３、・・ＬＭに対しても、光量一致点を検出する。その結果、フォトセンサＰ１、Ｐ２の間では、Ｍ回の露光位置が検出される。
【００５４】
さらに、フォトセンサＰ１、Ｐ２だけでなく、隣接するフォトセンサＰｊ、Ｐｊ＋１（１≦ｊ≦Ｎ−１）の間においても、光量一致点を露光位置として検出する。したがって、Ｎ個のフォトセンサＰ１、Ｐ２、・・・、ＰＮ上を、Ｍ個のパターンＬ１、Ｌ２、・・ＬＭが通過するとき、（Ｎ−１）×Ｍ回露光位置が検出される。すなわち、（Ｎ−１）個あるフォトセンサの隙間において、それぞれＭ回露光位置が検出される。
【００５５】
図６は、隣接するフォトセンサＰ１、Ｐ２の光量変化を示した図である。図７は、パルス信号の出力タイミングを時系列的に示した図である。
【００５６】
位置検出パターン列ＬのパターンピッチＪは、以下の式を満たすように定められている。ただし、Ｔはフォトセンサピッチ、ＳＡは検出される総パルス数、Ｍはパターン数、Ｎはフォトセンサ数Ｎを表す。
Ｊ＝Ｔ／Ｍ＋Ｔ
ＳＡ＝（Ｎ−１）Ｍ                                ・・・（１）
【００５７】
このようにパターンピッチＪを設定することにより、互いに隣り合うフォトセンサ間で出力される一連のパルス信号の出力タイミングが重ならず、ほぼ一定間隔で時系列的に出力される。図６には、パルスピッチＰＳで出力されるパルス信号が図示されている。
【００５８】
そして、出力される一連のパルス信号に基づき、露光位置の演算、露光開始位置の補正が実行される。パルスカウンタ、ラッチ回路などを含む位置計算部２７では、ステージ１２の移動速度、エンコーダ信号等に基づき、時系列的に順次出力される一連のパルス信号から、各パターンの露光位置、すなわち基板上におけるＸ位置座標が算出される。
【００５９】
コントローラ３０では、各パルス信号から算出される露光位置に対し、あらかじめ設定された標準露光位置との差を順次算出する。標準露光位置としては、（Ｎ−１）個ある隣接フォトセンサ間の中間地点の位置座標が、あらかじめ記憶、設定されている。
【００６０】
検出されるすべての露光位置座標に対して補正値を算出した後、その平均値が求められる。この平均値によって、露光位置が補正される。実際の描画処理を行うとき、露光位置を補正値だけシフトさせて描画を開始する。ここでは、複数の露光ヘッドそれぞれに対し、露光位置が基板Ｗの基準位置として補正される。
【００６１】
このように第１の実施形態によれば、複数のフォトセンサＰ１〜ＰＮを走査方向Ｘに沿って等間隔に配列させた位置検出部２８がステージ１２に設置されており、走査方向Ｘに沿って等間隔で配列したバー状／スリット状パターンＬ１〜ＬＭから成る位置検出パターン列Ｌが、走査時に投影される。そして、パターン列通過の間、互いに隣接するフォトセンサの受光量が等しくなる位置が露光位置として時系列に検出され、検出される（Ｎ−１）×Ｍ個の露光位置に基づき、基準位置が補正される。
【００６２】
走査方向に並ぶ複数のフォトセンサにパターン列を投影することによって、多数の場所で露光位置を検出するとともに、同一地点においても多数の露光位置を検出する。これにより、パターン光の照度ムラ、外乱による光量変動の影響、あるいは、フォトセンサの個体差（フォトセンサの出力特性の相違）、経時変化などといった影響を受けることなく、正確な露光位置の検出を、一度の走査で行うことができる。また、フォトセンササイズ、フォトセンサ間隔の極小化などデバイス構造上困難であってコストのかかる構成を用いなくても、精度ある露光位置を検出することができる。
【００６３】
パルス信号発生によって露光位置を検出するため、ステージ上において検出部の構成を簡素化できる。特に、複数の露光ヘッドを配置させた場合、各露光ヘッドにおいてパルス信号を発生させ、位置計算部を単一回路として設けることが可能であり、位置検出部の構成を簡素化できる。さらに、時系列的に出力されるパルス信号が同時、もしくは重なって出力しないようにパターンピッチ等を設定しているため、数多くの露光位置を検出することが可能となる。
【００６４】
パターン列のパターン数、パターン形状、フォトセンサ数は任意である。異なるフォトセンサ間で複数回露光位置を検出することを考慮すれば、２つ以上のパターンから成るパターン列を構成し、３つ以上のフォトセンサでフォトセンサ群を構成すればよい。また、フォトセンサについては、取り外し可能に配置する構成にしてもよい。
【００６５】
位置検出パターンの形状、パターンピッチ、フォトセンサピッチ、フォトセンサ幅、パターン幅においても、各パターン通過時において、隣り合うフォトセンサの間で光量変化が生じ、光量一致点が抽出できるように設定すればよい。すなわち、パターン幅がフォトセンサ幅よりも小さく、隣接フォトセンサ間の距離よりも大きくなるようにすればよい。
【００６６】
露光位置の算出については、検出される一連の露光位置から平均値などの代表的露光位置を先に算出し、平均値と標準値との差に基づいて露光開始位置を補正するように構成してもよい。パルス信号発生以外の構成によって光量が等しくなる露光位置を検出するように構成することも可能である。
【００６７】
次に、図８〜１１を用いて、第２の実施形態について説明する。第２の実施形態では、主走査方向（Ｘ方向）、副走査方向（Ｙ方向）に関して２次元の露光位置を検出する。それ以外の構成については、実質的に第１の実施形態と同じである。
【００６８】
図８は、第２の実施形態におけるフォトセンサ群と位置検出パターンを示した図である。図８を用いて、第２の実施形態におけるフォトセンサ群の配置および位置検出パターンについて説明する。
【００６９】
位置検出部１２８は、第１フォトセンサ群１２８Ａ、第２フォトセンサ群１２８Ｂを備え、ステージ１２の端付近に副走査方向に沿って並んで配置されている。第１フォトセンサ群１２８Ａでは、移動方向（主走査方向とは逆方向）に対し＋４５°だけ傾斜した方向に沿って複数のフォトセンサが等間隔で配列されている。
【００７０】
一方、第２フォトセンサ群１２８Ｂでは、複数のフォトセンサが、移動方向に対し−４５°傾斜した方向に沿って等間隔で配列されている。第２フォトセンサ群１２８Ｂのセンサ配列方向は、移動方向／主走査方向に関し、第１フォトセンサ群１２８Ａとは逆回転方向に相当する。図８では、第１フォトセンサ群１２８Ａが移動方向から反時計周りの回転方向に傾斜する一方、第２フォトセンサ群１２８Ｂは時計周りの回転方向に傾斜する。
【００７１】
また、第１フォトセンサ群１２８Ａ、第２フォトセンサ群１２８Ｂは、同一の走査バンド（露光エリアが走査中に通過する領域）内に配置されており、ここでは、副走査方向に沿って並列するように、隣接する走査バンドにそれぞれ離間配置される。
【００７２】
露光位置を検出する場合、第１フォトセンサ群１２８Ａに対しては第１位置検出パターン列ＨＰが投影され、第２フォトセンサ群１２８Ｂに対しては第２位置検出パターンＩＰが投影される。したがって、第１、第２位置検出パターンは、副走査方向に沿って並んで投影される。第１位置検出パターン列ＨＰは、バー状の４つの位置検出パターンＨ１〜Ｈ４から成る。また、位置検出パターンＨ１〜Ｈ４は、第１フォトセンサ群１２８Ａの配列方向（＋４５°）に垂直な方向に沿って傾斜し、互いに等間隔で移動方向／主走査方向に沿って並ぶ。
【００７３】
同様に、第２位置検出パターン列ＩＰは、バー状の４つの位置検出パターンＩ１〜Ｉ４から成り、位置検出パターンＩ１〜Ｉ４は、第２フォトセンサ群１２８Ｂの配列方向（−４５°）に垂直な方向に沿って傾斜し、互いに等間隔で移動方向／主走査方向に沿って並ぶ。
【００７４】
第１フォトセンサ群１２８Ａ、第２フォトセンサ群１２８Ｂは、それぞれパターンの異なる第１位置検出パターン列ＨＰ、第２位置検出パターンＩＰをそれぞれ通過させるように、副走査方向に所定間隔離れて配置されている。位置検出パターンＨ１〜Ｈ４、Ｉ１〜Ｉ４各々は、それぞれフォトセンサ群１２８Ａ、１２８Ｂを通過するときにすべてのフォトセンサと交差する長さを有する。
【００７５】
なお、図８に示す主走査方向と基板の移動方向を逆に定めた場合においても、同様にフォトセンサ群を傾斜配置させた構成にすることが可能であり、それに合わせて第１、第２位置検出パターンＨＰ、ＩＰの投影パターン形状を定めればよい。
【００７６】
図９は、第１フォトセンサ群における位置検出パターンとフォトセンサとの位置関係を示した図である。図１０は、第２フォトセンサ群における位置検出パターンとフォトセンサとの位置関係を示した図である。図９、１０を用いて、第２の実施形態における露光位置検出について説明する。
【００７７】
図９に示すように、隣り合うフォトセンサＰＮ、ＰＮ−１を１つの位置検出パターンＨ１が通過するとき、位置検出パターンＨ１とフォトセンサＰＮ、ＰＮ−１が主走査方向に対して４５°傾いているため、パターン移動方向は主走査方向に対し傾斜している。ここでは、微小変位した位置検出パターンＨ１を破線で示している。
【００７８】
位置検出パターン幅Ｋ、フォトセンサ幅Ｚ、フォトセンサピッチＴの関係は、第１の実施形態と同様の関係を満たす。したがって、フォトセンサ間で検出される光量分布の中で光量一致点が検出される。なお、位置検出パターンＨ１は、フォトセンサＰＮ、ＰＮ−１の配列方向に対し斜め方向に相対移動していくが、位置検出パターンＨ１はフォトセンサの長軸方向長さよりも十分な長さを有する。したがって、光量変化のある領域全体をパターンが通過していく。
【００７９】
第１フォトセンサ群１２８ＡのフォトセンサＰＮ、ＰＮ−１に関し、フォトセンサ配列方向に沿った露光位置を検出する場合、その成分はＸ成分とＹ成分とを合成したベクトルによって表される。センサ配列方向が移動方向に関して＋４５°傾斜しているため、配列方向に沿った露光位置のベクトルをＳ１、Ｘ成分、Ｙ成分のベクトルの大きさをそれぞれｄＸ、ｄＹと表すと、以下の式が成り立つ。
Ｓ１＝（ｄＸ＋ｄＹ）／√２                    ・・・・（１）
ただし、移動方向（−Ｘ方向）に対し反時計まわりに傾斜する方向を正としている。また、便宜上、上記式はベクトル符号（→）を用いないで表している。
【００８０】
同様に、第２フォトセンサ群１２８ＢのフォトセンサＰＭ、ＰＭ−１に関に関し、フォトセンサ配列方向に沿った露光位置を検出する場合、その成分はＸ成分とＹ成分とを合成したベクトルによって表される。配列方向に沿った露光位置のベクトルをＳ２、Ｘ成分、Ｙ成分のベクトルの大きさをそれぞれｄＸ、ｄＹと表すと、以下の式が成り立つ。
Ｓ１＝（ｄＸ−ｄＹ）／√２                    ・・・・（２）
【００８１】
よって、上記（１）、（２）式から、露光位置のＸ成分ｄＸ、Ｙ成分ｄＹは、以下の式によって求められる。
ｄＸ＝（Ｓ１＋Ｓ２）／√２
ｄＹ＝（Ｓ１−Ｓ２）／√２
・・・・・・（３）
【００８２】
第１の実施形態と同様、第１位置検出パターン列ＨＰ、第２位置検出パターン列ＩＰが通過する中で、互いに隣り合うフォトセンサの光量分布からその輝度レベルが一致するとき、パルス信号が時系列的に出力される。検出される一連のパルス信号の時間間隔は、フォトセンサの配列方向（＋／−４５°）に沿った距離間隔に対応する。
【００８３】
したがって、第１フォトセンサ群１２８Ａ、第２フォトセンサ群１２８Ｂそれぞれにおいて一連のパルス信号が検出されると、それぞれセンサ配列方向に沿った露光位置Ｓ１、Ｓ２が３つずつ算出される。算出された一連の露光位置から、Ｓ１、Ｓ２に関する代表値（平均値など）が算出され、上記（３）式により、露光位置のＸ成分、Ｙ成分が算出される。
【００８４】
算出された代表値は、参照露光位置のＸ成分、Ｙ成分と比較され、Ｘ成分、Ｙ成分の補正値が求められる。そして、補正値に基づき、露光開始位置が主走査方向、副走査方向について補正される。あるいは、補正値に基づいて露光データを補正し、露光動作を実行してもよい。
【００８５】
このように第２の実施形態によれば、第１フォトセンサ群１２８Ａ、第２フォトセンサ１２８Ｂが、それぞれ主走査方向に対し＋４５°／−４５°傾斜するように配置され、傾斜方向が互いに逆方向に向いている。そして、第１フォトセンサ群１２８Ａに対しては、第１フォトセンサ群１２８Ａのセンサ配列直交方向に傾斜した第１位置検出パターン列ＨＰを投影し、第２フォトセンサ群１２８Ｂに対しては、第１フォトセンサ群１２８Ａのセンサ配列直交方向に傾斜した第２位置検出パターン列ＩＰを投影する。
【００８６】
２つのフォトセンサ群を、互いに別方向に並べ、そのセンサ配列方向に合わせて傾斜させた位置検出パターン列を投影することにより、走査中、一連の露光位置が検出される。そして、２つのフォトセンサ群からのセンサ配列方向に沿った位置情報に基づき、主走査方向、副走査方向に沿った（Ｘ，Ｙ座標）の露光位置が算出されるとともに、補正値が求められる。これにより、描画開始位置とともに、ステージの副走査方向に沿った移動距離が補正されるか、もしくは、露光データが補正される。特に、副走査方向に沿って露光位置を調整することにより、走査バンドが重なって投影領域に段差が生じることを防ぐことができる。
【００８７】
なお、２つのフォトセンサ群のパルス信号から容易に露光位置を算出することを考慮すれば、センサ配列方向は、４５°が好ましいがそれ以外にしてもよく、例えば３０°から６０°の範囲で適宜選択すると、実用上十分な精度で露光位置を検出することができる。また、その傾斜角度の大きさが互いに異なってもよい。
【００８８】
具体的には、第１フォトセンサ群１２８Ａが移動方向に対し、０°＜α＜９０°を満たす角度αで傾斜配置される一方、第２フォトセンサ群１２８Ｂは、移動方向に対し、−９０°＜β＜０°を満たす角度βで傾斜配置するようにすればよい。また、主走査方向に対しても同様に傾斜配置させることが可能である。
【００８９】
その場合、上記（３）式において、センサ配列方向を表す三角関数を用いて２次元の露光位置算出式を導くことができる。ただし、主走査方向、副走査方向を二次元座標軸として規定し、第１フォトセンサ群、第２フォトセンサ群の配置方向をそれぞれベクトルで表した場合、隣接し、かつ異なる象限内にそれぞれベクトルが存在するように、２つの配列方向を定める必要がある。
【００９０】
次に、図１１を用いて、第３の実施形態について説明する。第３の実施形態では、第１フォトセンサ群と第２フォトセンサ群が同一の走査バンド内に配置される一方、主走査方向に沿って間隔をあけて配置される。
【００９１】
図１１は、第３の実施形態におけるフォトセンサ群と位置検出パターン列を示した図である。
【００９２】
位置検出部２２８は、第１フォトセンサ群２２８Ａ、第２フォトセンサ群２２８Ｂを備え、第１フォトセンサ群２２８Ａは、主走査方向に対して正方向に傾斜し、第２フォトセンサ群２２８Ｂは、それとは逆回転方向に傾斜している。第１フォトセンサ群２２８Ａ、第２フォトセンサ群２２８Ｂは、露光エリアが１つの走査バンドに沿って移動するとき両方のフォトセンサ群を通過するように、所定間隔を空けて同一走査バンド内に主走査方向に沿って配置されている。
【００９３】
走査時において、露光エリアが第１フォトセンサ群２２８Ａを通過する間、位置検出パターン列ＨＰが投影される。そして、露光エリアが第２フォトセンサ群２２８Ｂを通過する間、位置検出パターン列ＨＰから位置検出パターン列ＩＰに切り替わって投影される。これにより、第３実施形態と同様に一連のパルス信号が検出され、２次元の露光位置算出および露光開始位置補正が行われる。
【００９４】
次に、図１２〜１５を用いて、第４の実施形態である露光装置について説明する。第４の実施形態では、バー状パターン対を並列させた位置検出パターン列の光を投影する。
【００９５】
図１２は、第４の実施形態におけるフォトセンサ群と位置検出パターン列を示した図である。図１３は、第４の実施形態におけるフォトセンサとパターンの幅を示した図である。図１４は、第４の実施形態における位置検出パターンとフォトセンサを示した図である。図１５は、第４の実施形態における隣り合うフォトセンサの光量変化を示した図である。
【００９６】
位置検出パターン列ＬＰは、複数の位置検出パターンＬ１、Ｌ２、・・、ＬＭから構成されており、所定間隔Ｊで走査方向に配列されている。さらに、位置検出パターンＬ１、Ｌ２、・・・、ＬＭは、それぞれ、２つのバー状パターンＦ１、Ｆ２を対向配置させたパターン対として構成されている。
【００９７】
位置検出パターンＬ１は、第１の実施形態と同様、パターン全体として幅Ｋをもつ一方、バー状パターンＦ１、Ｆ２は、主走査方向に関してギャップｈをもつ。バー状パターンＦ１、Ｆ２は、ここでは同じ幅ｗであり、ピッチｇに従って離れている。ただし、ここでのピッチｇは、バー状パターンＦ１、Ｆ２の中心ライン間の距離を表す。バー状パターンＦ１、Ｆ２がともに幅ｗをもつため、バー状パターンＦ１、Ｆ２の先頭側端面との距離間隔はピッチｇと等しい。
【００９８】
バー状パターンＦ１、Ｆ２から構成される位置検出パターンＬ１がフォトセンサＰ１、Ｐ２を通過するときギャップｈにはパターンが存在しないため、図１５に示すように、フォトセンサＰ１、Ｐ２から出力される光量Ｃ１、Ｃ２は、時系列的に見て階段状に変化する。
【００９９】
図１４に示すように、バー状パターンＦ１、Ｆ２の幅ｗは、フォトセンサ隙間間隔Ｂよりも小さい。また、ピッチｇは、フォトセンサ幅Ｚより小さく、かつ、フォトセンサ隙間間隔Ｂよりも大きい。そして、以下の条件式を満たすように、ピッチｇおよび幅ｗが定められている。
ｇ−ｗ＜Ｂ＜ｇ＋ｗ              ・・・・・・（４）
【０１００】
その結果、光量Ｃ１、Ｃ２の輝度レベルが等しくなるタイミングが、バー状パターンＦ１、Ｆ２いずれも部分的にフォトセンサ上に位置する時間帯に属する。バー状パターンＦ１がフォトセンサＰ２を通過開始してからバー状パターンＦ１全体がフォトセンサＰ２上に移動するまでの期間ｔｗは、バー状パターンＦ２の先頭側端面がフォトセンサＰ１から離れ始めてからバー状パターンＦ２全体がフォトセンサＰ１から離れるまでの期間ｔｚと一致する。
【０１０１】
この期間ｔｗにおいて光量Ｃ１、Ｃ２が一致する輝度レベルＧＰのときの位置検出パターンＬ１の位置を、露光位置として検出することができる。ただし、ここではバー状パターンＦ１、Ｆ２の中間位置を露光位置として検出する。
【０１０２】
図１５に示すように、期間ｔｗにおける光量Ｃ１、Ｃ２の変化率は、パターン幅ｗを狭くすることにより、大きくなる。一般的に、光量変化率が大きいほど、フォトセンサ出力感度は高い。これは、光量一致点における信号の振れ幅が光量変化率に従って変化し、光量変化率が大きい、すなわち傾きが大きいほど振れ幅が小さくなるためである。
【０１０３】
したがって、パターン幅ｗをできるだけ狭くすることにより、露光位置をより正確に検出することが可能である。そして、このパターン幅ｗとともにピッチｇの値を調整することによって、光量一致点を調整することができる。一方、フォトセンサに関しては、最大出力値の２０〜８０％が出力安定領域となる。この出力安定領域に光量一致点が含まれるように、ここではパターン幅ｗとピッチｇの値が設定されている。
【０１０４】
このように第４の実施形態によれば、バー状パターンＦ１、Ｆ２からなる位置検出パターンＬ１、Ｌ２、・・、ＬＭを並列させた位置検出パターン列ＬＰを走査中に投影し、パターン幅ｗ、バー状パターンピッチｇを調整することにより、隣接するフォトセンサの光量Ｃ１、Ｃ２の一致点ＧＰを同時に検出する。これにより、フォトセンサ隙間間隔ｈよりも小さいパターンを投影し、より精度ある露光位置を検出することができる。また、フォトセンサ安定領域を考慮して光量Ｃ１、Ｃ２の一致点をパターン幅ｗ、パターンピッチｇの調整により適切なタイミングに設定することにより、感度が高く、ノイズを抑えたフォトセンサ出力信号を得ることができる。
【０１０５】
次に、図１６を用いて、第５の実施形態について説明する。第５の実施形態では、第２の実施形態と同様、Ｘ，Ｙ軸に関して２次元的に露光位置が検出される。
【０１０６】
図１６は、第５の実施形態におけるフォトセンサ群と位置検出パターンを示した図である。
【０１０７】
図１６に示すように、各位置検出パターンＨ１〜Ｈ４、Ｉ１〜Ｉ４が±４５度傾斜した位置検出パターン列ＶＰ、ＷＰが投影される間、±４５度傾斜したフォトセンサ群１２８Ａ、１２８Ｂが位置検出パターン列ＶＰ、ＷＰを通過する。位置検出パターン列ＶＰ、ＷＰは、第４の実施形態と同様、一対の位置検出パターンが所定間隔で並んでいる。これにより、Ｘ、Ｙ軸の露光位置を正確に検出することができる。
【０１０８】
次に、図１７を用いて、第６の実施形態について説明する。第６の実施形態では、第３の実施形態と同様、２つのフォトセンサ群が同一の走査エリアに配置されている。
【０１０９】
図１７は、第６の実施形態におけるフォトセンサ群と位置検出パターン列を示した図である。
【０１１０】
図１７に示すように、１つの位置検出パターン列ＶＰの光が、フォトセンサ群２２８Ａ、２２８Ｂを通過することにより、Ｘ、Ｙ軸の露光位置を検出することができる。
【０１１１】
第４〜第６の実施形態においては、パターン幅ｗ、ピッチｇの値について適宜調整することが可能であり、フォトセンサ隙間間隔ｈよりも大きく、フォトセンサ幅Ｚよりも小さいピッチｇを設定し、パターン幅ｗをフォトセンサ隙間間隔ｈよりも小さく設定すればよい。また、第１〜第３の実施形態と同様、単一の位置検出パターンによって露光位置を検出することも可能である。
【符号の説明】
【０１１２】
１０  露光装置
２２  ＤＭＤ（光変調素子アレイ）
２８  位置検出部
３０  コントローラ
ＨＰ  位置検出パターン列
Ｆ１、Ｆ２  バー状パターン
ｇ  ピッチ（パターンピッチ）
ｈ  隙間間隔
ｗ  パターン幅
【図１】
2015065228.tif 000003
【図２】
2015065228.tif 000004
【図３】
2015065228.tif 000005
【図４】
2015065228.tif 000006
【図５】
2015065228.tif 000007
【図６】
2015065228.tif 000008
【図７】
2015065228.tif 000009
【図８】
2015065228.tif 000010
【図９】
2015065228.tif 000011
【図１０】
2015065228.tif 000012
【図１１】
2015065228.tif 000013
【図１２】
2015065228.tif 000014
【図１３】
2015065228.tif 000015
【図１４】
2015065228.tif 000016
【図１５】
2015065228.tif 000017
【図１６】
2015065228.tif 000018
【図１７】
2015065228.tif 000019